(57)【要約】【課題】モータ駆動の風向変更板を有する化粧パネル本体の水洗いができる空気調和機を提供する。【解決手段】吹出口（図示せず）を有し室内機本体１４の下面に装着される化粧パネル本体１５と、吹出口に回動自在に軸支された風向変更板（図示せず）と、室内機本体１４に設けられたモータ２２と連結されると共に第１の磁石２３を備えた上カム装置２４と、上カム装置２４に対向して化粧パネル本体１５に回転自在に設けられかつ第１の磁石２３と反対極の第２の磁石２５を第１の磁石２３に対向して配した下カム装置２６と、下カム装置２６に噛み合うカム軸２９と風向変更板２１を連結する連結装置（図示せず）とを備え、第１、第２の磁石２３、２５間の吸引力を利用して、モータ２２の動力を下カム装置２６に伝え、風向変更板２１を回動させるもので、化粧パネル本体１５の水洗いが可能になる。【選択図】図３ 
2006017415.tif 000002
【特許請求の範囲】
【請求項１】
室内機本体と、吹出口を有し前記室内機本体の下面に装着される化粧パネル本体と、前記吹出口に回動自在に軸支された風向変更板と、前記室内機本体に設けられたモータと、前記モータと連結されると共に第１の磁石を備えた上カム装置と、前記上カム装置に対向して前記化粧パネル本体に回転自在に設けられかつ前記第１の磁石と反対極の第２の磁石を前記第１の磁石に対向して配した下カム装置と、前記下カム装置に噛み合うカム軸と、前記カム軸と前記風向変更板を連結する連結装置とを備え、前記第１、第２の磁石間の吸引力を利用して、前記モータの動力を前記下カム装置に伝え、前記風向変更板を回動させるようにした空気調和機。
【請求項２】
上カム装置を円盤状に形成しその外周下面に第１の磁石を複数設け、前記上カム装置の下面に円盤状の下カム装置を配し、前記下カム装置の外周上面に、前記第１の磁石の略真下になるよう第２の磁石を複数設けたことを特徴とする請求項１に記載の空気調和機。
【請求項３】
上カム装置を円盤状に形成しその外周下面に、複数個の連続した扇形の磁石からなる第１の磁石を設け、前記上カム装置の下面に円盤状の下カム装置を配し、前記下カム装置の外周上面で前記第１の磁石の略真下に複数個の連続した扇形の磁石からなる第２の磁石を設けたことを特徴とする請求項１に記載の空気調和機。
【請求項４】
上カム装置を円盤状に形成しその外周下面に、複数個の連続した扇形の磁石からなる第１の磁石を設け、前記上カム装置の下面に円盤状の下カム装置を配し、複数個の連続した扇形の磁石からなる第２の磁石を前記第１の磁石の内側に収まるように前記下カム装置の外周上面に設けたことを特徴とする請求項１に記載の空気調和機。
【請求項５】
上カム装置の近傍に位置検知スイッチを配し、風向変更板が所定の角度の時に前記位置検知スイッチを動作させる突起を前記上カム装置に備えたことを特徴とする請求項１〜４のいずれか１項に記載の空気調和機。
【請求項６】
第１、第２の磁石を上カム装置及び下カム装置にそれぞれ着脱可能に固定したことを特徴とする請求項１〜５のいずれか１項に記載の空気調和機。
【請求項７】
第１、第２の磁石を上カム装置及び下カム装置にそれぞれ樹脂で一体に成型したことを特徴とする請求項１〜６のいずれか１項に記載の空気調和機。
【請求項８】
モータをステッピングモータとしたことを特徴とする請求項１〜７のいずれかに１項に記載の空気調和機。
【発明の詳細な説明】
【技術分野】
【０００１】
本発明は、風向変更装置を備えた空気調和機に関するものである。
【背景技術】
【０００２】
従来、この種の空気調和機としては、化粧パネルに風向変更板の駆動用のモータが内蔵されているものがあった（例えば、特許文献１参照）。
【０００３】
以下に、従来の空気調和機について、図１８〜２０を用いて説明する。
【０００４】
図１８は、従来の空気調和機の断面図、図１９は、同空気調和機に装着される化粧パネルの平面図、図２０は、同化粧パネルのカム装置の要部構成を表す断面図を示すものである。
【０００５】
図に示すように、空気調和機は、図示しない室外機に接続され天井内に埋め込まれる室内機本体１と、室内機本体１の下面に装着された化粧パネル本体２と、着脱可能に取り付けられたフィルタ３を備えた吸込パネル４から構成され、化粧パネル本体２は、化粧パネル本体２の４辺に設けられた吹出口５と、吹出口５に支軸６で回転自在に設けられた風向変更板７と、風向変更板７を駆動するモータ８と、モータ８の回転運動を風向変更板７のスイング運動に変えるため、中心の固定軸９から偏心した円形の凹溝１０を備えたカム装置１１と、偏心回転する凹溝１０に噛み合うカム軸１２と、カム軸１２と風向変更板７の支軸６を連結する連結装置１３から構成されている。
【特許文献１】特開２０００−３９２０８号公報
【発明の開示】
【発明が解決しようとする課題】
【０００６】
しかしながら、前記従来の空気調和機の構成では、化粧パネル本体２に風向変更板７の駆動用のモータ８が内蔵されているため、室内機本体１に化粧パネル本体２を取り付ける際にコネクタなどで電気的に接続しなければならず、施工に手間が掛るという課題を有していた。また、フィルタ３や吸込パネル４は取り外して水洗いができるが、化粧パネル本体２は電気部品であるモータ８を内蔵しているため、丸ごと水洗いができず、汚れを落し難いという課題を有していた。
【０００７】
本発明は、前記従来の課題を解決するもので、室内機本体とモータ駆動の風向変更板を有する化粧パネル本体とをコネクタなどで電気的に接続する必要がなく、省施工で、また、化粧パネル本体も水洗いができ、汚れが落し易い空気調和機を提供することを目的とする。
【課題を解決するための手段】
【０００８】
前記従来の課題を解決するために、本発明の空気調和機は、室内機本体と、吹出口を有し前記室内機本体の下面に装着される化粧パネル本体と、前記吹出口に回動自在に軸支された風向変更板と、前記室内機本体に設けられたモータと、前記モータと連結されると共に第１の磁石を備えた上カム装置と、前記上カム装置に対向して前記化粧パネル本体に回転自在に設けられかつ前記第１の磁石と反対極の第２の磁石を前記第１の磁石に対向して配した下カム装置と、前記下カム装置に噛み合うカム軸と、前記カム軸と前記風向変更板を連結する連結装置とを備え、前記第１、第２の磁石間の吸引力を利用して、前記モータの動力を前記下カム装置に伝え、前記風向変更板を回動させるようにしたもので、前記室内機本体と前記化粧パネル本体をコネクタなどで電気的に接続する必要がなく、省施工で
、また、前記化粧パネル本体に電気部品である前記モータを内蔵していないため、前記化粧パネル本体も水洗いができ、汚れを落し易い空気調和機を提供することができる。
【発明の効果】
【０００９】
本発明の空気調和機は、化粧パネル本体に風向変更板の駆動用のモータを内蔵せずに風向変更板をスイング運動させることができるため、室内機本体と化粧パネル本体をコネクタなどで電気的に接続する必要がなく、省施工で、また、化粧パネル本体に電気部品であるモータが内蔵されていないため、化粧パネル本体も水洗いができ、汚れを落し易いものである。
【発明を実施するための最良の形態】
【００１０】
第１の発明は、室内機本体と、吹出口を有し前記室内機本体の下面に装着される化粧パネル本体と、前記吹出口に回動自在に軸支された風向変更板と、前記室内機本体に設けられたモータと、前記モータと連結されると共に第１の磁石を備えた上カム装置と、前記上カム装置に対向して前記化粧パネル本体に回転自在に設けられかつ前記第１の磁石と反対極の第２の磁石を前記第１の磁石に対向して配した下カム装置と、前記下カム装置に噛み合うカム軸と、前記カム軸と前記風向変更板を連結する連結装置とを備え、前記第１、第２の磁石間の吸引力を利用して、前記モータの動力を前記下カム装置に伝え、前記風向変更板を回動させるようにしたもので、前記室内機本体と前記化粧パネル本体をコネクタなどで電気的に接続する必要がなく、省施工で、また、前記化粧パネル本体に電気部品である前記モータを内蔵していないため、前記化粧パネル本体も水洗いができ、汚れを落し易い空気調和機を提供することができる。
【００１１】
第２の発明は、特に、第１の発明の上カム装置を円盤状に形成しその外周下面に第１の磁石を複数設け、前記上カム装置の下面に円盤状の下カム装置を配し、前記下カム装置の外周上面に、前記第１の磁石の略真下になるよう第２の磁石を複数設けたもので、前記第１、第２の磁石間の吸引と反発の作用が強くなり、前記上カム装置と前記下カム装置がより確実に吸引し合うので、非接触で前記磁石同士の吸引力を利用できる前記上カム装置と前記下カム装置の取付範囲に裕度ができ、施工時のずれを吸収できるので、さらに省施工である。
【００１２】
第３の発明は、特に、第１の発明の上カム装置を円盤状に形成しその外周下面に、複数個の連続した扇形の磁石からなる第１の磁石を設け、前記上カム装置の下面に円盤状の下カム装置を配し、前記下カム装置の外周上面で前記第１の磁石の略真下に複数個の連続した扇形の磁石からなる第２の磁石を設けたもので、施工時、前記上カム装置と前記下カム装置が回転方向にずれた状態で取り付けられたとしても、扇形の前記第１、第２の磁石の反発がなくなるまで回転し、常に正しい取付位置に自動的に回転し修整されるので、前記上カム装置と前記下カム装置を互いに前記磁石が吸引し合うまで回転調整させる必要がなく、さらに省施工で、また、前記磁石を隙間無く円周に配置することで、前記上カム装置と前記下カム装置がより確実に吸引し合うので、非接触で前記磁石同士の吸引力を利用できる前記上カム装置と前記下カム装置の取付範囲に裕度ができ、施工時のずれを吸収できるので、さらに省施工である。
【００１３】
第４の発明は、特に、第１の発明の上カム装置を円盤状に形成しその外周下面に、複数個の連続した扇形の磁石からなる第１の磁石を設け、前記上カム装置の下面に円盤状の下カム装置を配し、複数個の連続した扇形の磁石からなる第２の磁石を前記第１の磁石の内側に収まるように前記下カム装置の外周上面に設けたもので、上カム装置の第１の磁石と下カム装置の第２の磁石が縦方向に重なるので、縦方向の取付位置にも裕度ができ、施工時のずれを吸収できるので、さらに省施工である。
【００１４】
第５の発明は、特に、第１〜４のいずれか１つの発明の上カム装置の近傍に位置検知スイッチを配し、風向変更板が所定の角度の時に前記位置検知スイッチを動作させる突起を前記上カム装置に備えたもので、室内機本体と化粧パネル本体をコネクタなどで電気的に接続することなく風向変更板の位置検出が可能となり、風向の制御が可能となるので、省施工で、快適な空気調和機を提供することができる。
【００１５】
第６の発明は、特に、第１〜５のいずれか１つの発明の第１、第２の磁石を上カム装置及び下カム装置にそれぞれ着脱可能に固定したもので、第１、第２の磁石を容易に分別回収することができ、また、化粧パネル本体に風向変更板の駆動用のモータを内蔵していないため、前記化粧パネル本体を完全に樹脂製のみにすることが可能となり、リサイクルし易くなる。
【００１６】
第７の発明は、特に、第１〜６のいずれか１つの発明の第１、第２の磁石を上カム装置及び下カム装置にそれぞれ樹脂で一体に成型したもので、上カム装置と下カム装置の製造時、第１、第２の磁石の取付工程が削減できるので、安価に提供でき、かつ、周囲環境から保護できるので、前記磁石の錆発生などを防げる。
【００１７】
第８の発明は、特に、第１〜７のいずれか１つの発明のモータをステッピングモータとしたもので、前記ステッピングモータがステップを刻みなら少しずつ動き、また、その動きが制御可能なモータであることから、前記風向変更板の位置、即ち風向の細かな制御が可能となるので、快適な空気調和機を提供することができる。
【００１８】
以下、本発明の実施の形態について、図面を参照しながら説明する。なお、この実施の形態によって本発明が限定されるものではない。
【００１９】
（実施の形態１）
図１は、本発明の第１の実施の形態における空気調和機の断面図、図２は、同空気調和機の化粧パネルの平面図、図３は、同空気調和機のカム装置の要部構成を表す概略断面図、図４は、上カム装置の下面図と下カム装置の上面図を兼ねた図、図５は、下カム装置の下面図である。
【００２０】
図において、空気調和機は、天井内に埋め込まれた室内機本体１４と、前記室内機本体１４の下面に装着された化粧パネル本体１５と、前記化粧パネル本体１５の中央に着脱可能に取り付けられたフィルタ１６を備えた吸込パネル１７と、前記化粧パネル本体１５の４辺に設けられた吹出口１９と、前記吹出口１９に支軸２０で回転自在に設けられた風向変更板２１と、前記風向変更板２１の駆動用のモータ２２と、前記モータ２２と連結され、１個の第１の磁石２３、例えばＮ極、を外周下面に備えた円盤状の上カム装置２４と、前記上カム装置２４の下面に対向して位置し、前記上カム装置２４の前記第１の磁石２３の略真下になるよう外周上面に反対極の１個の第２の磁石２５、例えばＳ極、を備えた円盤状の下カム装置２６と、下カム装置２６の下面に、下カム装置２６を回転自在に支持する固定軸２７から偏心した円を描く凹溝２８と、前記凹溝２８と噛み合うカム軸２９と、前記カム軸２９と前記風向変更板２１の前記支軸２０を連結する連結装置３０とを備え、前記モータ２２と前記上カム装置２４は、前記室内機本体１４に内蔵あるいは前記室内機本体１４の近傍に備え付けられ、前記モータ２２は前記室内機本体１４に内蔵された制御回路（図示せず）に電線３１を介して接続されている。
【００２１】
以上のように構成された空気調和機について、以下その動作、作用を説明する。
【００２２】
まず、前記モータ２２が回転すると、前記モータ２２と連結され、第１の磁石２３を外周下面に備えた円盤状の前記上カム装置２４が回転する。すると、前記上カム装置２４の
下面に位置し、前記上カム装置２４の前記第１の磁石２３の略真下になるよう外周上面に反対極の第２の磁石２５を備えた円盤状の前記下カム装置２６が、前記第１の磁石２３と前記第２の磁石２５の吸引力に引きつられて回転する。
【００２３】
この時、前記下カム装置２６の下面に備えられている前記凹溝２８は、前記固定軸２７から偏心しているため、偏心回転する前記凹溝２８に噛み合う前記カム軸２９は往復運動となり、前記カム軸２９と前記風向変更板２１の前記支軸２０を連結する前記連結装置３０を伝って前記風向変更板２１を回動することができる。
【００２４】
以上のように、本実施の形態においては、前記化粧パネル本体１５に前記風向変更板２１の駆動用の前記モータ２２を内蔵せずに、かつ、非接触で前記第１の磁石２３、例えばＮ極、と、前記第２の磁石２５、例えばＳ極、同士の吸引力を利用して前記風向変更板２１を回動させることができるため、前記室内機本体１４と前記化粧パネル本体１５をコネクタなどで電気的に接続する必要がなく、省施工で、また、前記化粧パネル本体１５に電気部品である前記モータ２２を内蔵していないため、前記フィルタ１６や前記吸込パネル１７だけでなく、前記化粧パネル本体１５も水洗いができ、汚れを落し易い空気調和機を提供することができる。
【００２５】
（実施の形態２）
図６は、本発明の第２の実施の形態における空気調和機のカム装置の要部構成を表す概略断面図、図７は、同空気調和機の上カム装置の下面図と下カム装置の上面図を兼ねた図である。なお、上記第１の実施の形態と同一部分については同一符号を付してその説明を省略する。
【００２６】
上記第１の実施の形態では、上カム装置と下カム装置の夫々に１個の磁石を設けたが、本実施の形態は、図６、７に示すように、前記実施の形態１の前記上カム装置２４と前記下カム装置２６を、複数個の第１の磁石３２、例えばＮ極とＳ極を交互に配置、を外周下面に備えた円盤状の上カム装置３３と、前記上カム装置３３の下面に位置し、前記上カム装置３３の前記第１の磁石３２の略真下になるよう外周上面に反対極の複数個の第２の磁石３４、例えばＳ極とＮ極を交互に配置、を備えた円盤状の下カム装置３５としたものである。
【００２７】
以上のように構成された空気調和機について、以下その動作、作用を説明する。
【００２８】
まず、前記モータ２２が回転し、前記モータ２２と連結され、複数個の前記第１の磁石３２、例えばＮ極とＳ極を交互に配置、を外周下面に備えた円盤状の前記上カム装置３３が回転すると、前記上カム装置３３の下面に位置し、前記上カム装置３３の前記第１の磁石３２の略真下になるよう外周上面に反対極の複数個の前記第２の磁石３４、例えばＳ極とＮ極を交互に配置、を備えた円盤状の前記下カム装置３５が、前記第１の磁石３２と前記第２の磁石３４の吸引力に引きつられて回転する。
【００２９】
この時、前記第１の磁石３２と前記第２の磁石３４は、複数個の磁石を備えており、また、例えばＮ極とＳ極を交互に配置すると、前記上カム装置３３と前記下カム装置３５が回転方向にずれた場合に、前記上カム装置３３の例えばＮ極と前記下カム装置３５の例えばＮ極が反発するので、前記実施の形態１の前記上カム装置２４と前記下カム装置２６に比べ、吸引と反発の作用がより強くなり、前記上カム装置３３と前記下カム装置３５がより確実に吸引し合う。その後の前記風向変更板２１を回動させる動作は、前記実施の形態１と同じである。
【００３０】
以上のように、本実施の形態によれば、前記上カム装置３３と前記下カム装置３５がよ
り確実に吸引し合うので、非接触で前記第１の磁石３２と前記第２の磁石３４の吸引力を利用できる前記上カム装置３３と前記下カム装置３５の取付範囲に裕度ができ、施工時のずれを吸収できるので、さらに省施工である。
【００３１】
（実施の形態３）
図８は、本発明の第３の実施の形態における空気調和機のカム装置の要部構成を表す概略断面図、図９は、同空気調和機の上カム装置の下面図と下カム装置の上面図を兼ねた図である。なお、上記実施の形態と同一部分については同一符号を付してその説明を省略する。
【００３２】
図８、図９において、前記実施の形態１の前記上カム装置２４と前記下カム装置２６を、複数個の連続した扇形の第１の磁石３６、例えばＮ極とＳ極を半扇ずつ配置、を外周下面に備えた円盤状の上カム装置３７と、前記上カム装置３７の下面に位置し、前記上カム装置３７の前記第１の磁石３６の略真下になるよう外周上面に反対極の複数個の連続した扇形の第２の磁石３８、例えばＳ極とＮ極を半扇ずつ配置、を備えた円盤状の下カム装置３９としたものである。
【００３３】
以上のように構成された空気調和機について、以下その動作、作用を説明する。
【００３４】
前記モータ２２が回転すると、前記モータ２２と連結され、複数個の連続した扇形の前記第１の磁石３６、例えばＮ極とＳ極を半扇ずつ配置、を外周下面に備えた円盤状の前記上カム装置３７が回転する。すると、前記上カム装置３７の下面に位置し、前記上カム装置３７の前記第１の磁石３６の略真下になるよう外周上面に反対極の複数個の連続した扇形の前記第２の磁石３８、例えばＳ極とＮ極を半扇ずつ配置、を備えた円盤状の前記下カム装置３９が、前記第１の磁石３６と前記第２の磁石３８の吸引力に引きつられて回転する。
【００３５】
この時、前記第１の磁石３６と前記第２の磁石３８は、複数個の扇形の磁石を備えており、また、扇形の磁石を隙間無く連続で配置しているため、磁石を円周に隙間を空けて配置するよりも、磁力の作用する面積を円周全体で活用でき、かつ、前記上カム装置３７と前記下カム装置３９が回転方向に少しずれた場合、前記上カム装置３７の例えばＮ極と前記下カム装置３９の例えばＮ極がすぐに反発し、回転方向に自動的に回転し修整される。
【００３６】
また、前記実施の形態１の前記上カム装置２４と前記下カム装置２６に比べ、吸引と反発の作用がより強くなり、前記上カム装置３７と前記下カム装置３９がより確実に吸引し合う。その後に前記風向変更板２１を回動させる作用は、前記実施の形態１と同じである。
【００３７】
以上のように、本実施の形態においては、前記上カム装置３７と前記下カム装置３９が、施工時、回転方向にずれた状態で取り付けられたとしても、常に正しい取付位置に自動的に回転し修整される。また、前記第１の磁石３６と前記第２の磁石３８がより強く吸引し合うので、非接触で前記第１の磁石３６と前記第２の磁石３８の吸引力を利用できる前記上カム装置３７と前記下カム装置３９の取付範囲に裕度ができ、施工時のずれを吸収できるので、さらに省施工である。
【００３８】
（実施の形態４）
図１０は、本発明の第４の実施の形態における空気調和機のカム装置の要部構成を表す断面図、図１１は、図１０のＡ−Ａ断面図である。なお、上記実施の形態と同一部分については同一符号を付してその説明を省略する。
【００３９】
図１０、図１１において、前記実施の形態３の前記上カム装置３７と前記下カム装置３９を、複数個の連続した扇形の第１の磁石４０、例えばＮ極とＳ極を半扇ずつ配置、を外周下面に備えた円盤状の上カム装置４１と、前記上カム装置４１の下面に位置し、前記上カム装置４１の前記第１の磁石４０の内側に収まるように外周上面に反対極の複数個の連続した扇形の第２の磁石４２、例えばＳ極とＮ極を半扇ずつ配置、を備えた円盤状の下カム装置４３としたものである。
【００４０】
以上のように構成された空気調和機について、以下その動作、作用を説明する。
【００４１】
前記モータ２２が回転すると、前記モータ２２と連結され、複数個の連続した扇形の前記第１の磁石４０、例えばＮ極とＳ極を半扇ずつ配置、を外周下面に備えた円盤状の前記上カム装置４１が回転する。すると、前記上カム装置４１の下面に位置し、前記上カム装置４１の前記第１の磁石４０の内側に収まるように外周上面に反対極の複数個の連続した扇形の前記第２の磁石４２、例えばＳ極とＮ極を半扇ずつ配置、を備えた円盤状の前記下カム装置４３が、前記第１の磁石４０と前記第２の磁石４２の吸引力に引きつられて回転する。
【００４２】
この時、前記第１の磁石４０と前記第２の磁石４２は、縦方向に重なっているため、高さ方向に少しずれて取付けられたとしても、前記第１の磁石４０と前記第２の磁石４２の吸引力を利用することができる。その後の前記風向変更板２１に回動運動を与える作用は、前記実施の形態３と同じである。
【００４３】
以上のように、本実施の形態においては、前記第１の磁石４０と前記第２の磁石４２が縦方向に重なっているので、前記上カム装置４１と前記下カム装置４３の縦方向の取付位置にも裕度ができ、施工時のずれを吸収でき、さらに省施工である。
【００４４】
（実施の形態５）
図１２は、本発明の第５の実施の形態における空気調和機のカム装置の要部構成を表す断面図、図１３は、同空気調和機の上カム装置の平面図である。なお、上記実施の形態と同一部分については同一符号を付してその説明を省略する。
【００４５】
本実施の形態は、上記第１〜４の実施の形態における上カム装置（２４、３３、３７、４１）に突起４６を設け、風向変更板２１が所定の角度の場合に、前記突起４６に当接して動作する位置検知スイッチ４５を前記上カム装置（２４、３３、３７、４１）の近傍に設けたもので、位置検知スイッチ４５は、室内機本体１４に内蔵された制御回路（図示せず）に電線４７でコネクタなどを介して直接、接続されている。
【００４６】
以上のように構成された空気調和機について、以下その動作、作用を説明する。
【００４７】
前記モータ２２が回転し、前記風向変更板２１を回動させる動作は、前記実施の形態１〜４と同じであるが、本実施の形態における空気調和機は、上カム装置（２４、３３、３７、４１）の回転時に、風向変更板２１が所定の角度になった時に、突起４６が位置検知スイッチ４５を押す。このため、前記室内機本体１４と前記化粧パネル本体１５をコネクタなどで電気的に接続する必要なく前記風向変更板２１の位置検出が可能となり、風向の制御が可能となるので、省施工で、快適な空気調和機を提供することができる。
【００４８】
（実施の形態６）
図１４は、本発明の第６の実施の形態における空気調和機のカム装置の要部構成を表す断面図、図１５は、上カム装置の下面図と下カム装置の上面図を兼ねた図である。なお、上記実施の形態と同一部分については同一符号を付してその説明を省略する。
【００４９】
本実施の形態は、図１４、１５に示すように、前記実施の形態１〜５のいずれか１つの上カム装置と下カム装置を、例えばネジなどの固定装置４８で第１の磁石４９を固定した上カム装置５０と、同じく固定装置４８で第２の磁石５１を固定した下カム装置５２とすることで、前記第１の磁石４９と前記第２の磁石５１を着脱可能としたものである。
【００５０】
以上のように、本実施の形態においては、前記第１の磁石４９と前記第２の磁石５１が着脱可能であるため、前記第１の磁石４９と前記第２の磁石５１を取り外して分別回収することができ、しかも前記風向変更板２１の駆動用の前記モータ２２も内蔵していないため、特に前記第１の磁石４９と前記第２の磁石５１が金属製の場合、前記化粧パネル本体１５を完全に樹脂製のみにすることが可能となり、リサイクルし易くなる。
【００５１】
（実施の形態７）
図１６は、本発明の第７の実施の形態における空気調和機のカム装置の要部構成を表す断面図、図１７は、図１６のＢ−Ｂ断面図である。なお、上記実施の形態と同一部分については同一符号を付してその説明を省略する。前記実施の形態１〜６とは、上カム装置と下カム装置が異なる。
【００５２】
図１６、図１７において、前記第１〜６の実施の形態における上カム装置の磁石と、下カム装置の磁石を、上カム装置５３と同じ樹脂５４で第１の磁石５５をモールドし、一体成型にした前記上カム装置５３と、下カム装置５６と同じ樹脂５７で第２の磁石５８をモールドし、一体成型にした前記下カム装置５６としたもので、それにより前記磁石５５と前記磁石５８は、前記上カム装置５３と前記下カム装置５６の製造時に固定する作業は必要なく、同時に成型でき、かつ、周囲環境から保護でき、前記磁石５５と前記磁石５８の錆発生などを防げる。
【００５３】
以上のように、本実施の形態においては、製造時、前記磁石５５と前記磁石５８の固定作業が削減できので、安価に提供でき、かつ、周囲環境から前記磁石５５と前記磁石５８を保護できる。
【００５４】
なお、上記第１〜７の実施の形態におけるモータ２２として、ステッピングモータを使用するようにすれば、ステップを刻みなら少しずつ動き、また、その動きを制御可能なモータであることから、風向の細かな制御が可能となり、快適な空気調和機を提供することができる。
【産業上の利用可能性】
【００５５】
以上のように、本発明にかかる空気調和機は、化粧パネル本体に風向変更板の駆動用のモータを内蔵せずに風向変更板を回動させることができ、室内機本体と化粧パネル本体をコネクタなどで電気的に接続する必要がなく、省施工で、また、化粧パネル本体に電気部品であるモータを内蔵していないため、化粧パネル本体も水洗いができ、汚れを落し易いので、可動部品を備え本体に着脱自在に設けられた部材を有する各種機器にも適用できる。
【図面の簡単な説明】
【００５６】
【図１】本発明の実施の形態１における空気調和機の断面図
【図２】同空気調和機に装着される化粧パネルの平面図
【図３】同空気調和機のカム装置の要部構成を表す概略断面図
【図４】同空気調和機の上カム装置の下面図と下カム装置の上面図を兼ねた図
【図５】同下カム装置の下面図
【図６】本発明の実施の形態２における空気調和機のカム装置の要部構成を表す概略断面図
【図７】同空気調和機の上カム装置の下面図と下カム装置の上面図を兼ねた図
【図８】本発明の実施の形態３における同空気調和機のカム装置の要部構成を表す概略断面図
【図９】同空気調和機の上カム装置の下面図と下カム装置の上面図を兼ねた図
【図１０】本発明の実施の形態４における空気調和機のカム装置の要部構成を表す概略断面図
【図１１】図１０のＡ−Ａ断面図
【図１２】本発明の実施の形態５における空気調和機のカム装置の要部構成を表す概略断面図
【図１３】同空気調和機の上カム装置の平面図
【図１４】本発明の実施の形態６における同空気調和機のカム装置の要部構成を表す概略断面図
【図１５】同空気調和機の上カム装置の下面図と下カム装置の上面図を兼ねた図
【図１６】本発明の実施の形態７における同空気調和機のカム装置の要部構成を表す概略断面図
【図１７】図１６のＢ−Ｂ断面図
【図１８】従来の空気調和機の断面図
【図１９】同空気調和機の化粧パネルの平面図
【図２０】同空気調和機のカム装置の要部構成を表す断面図
【符号の説明】
【００５７】
１４  室内機本体
１５  化粧パネル本体
１９  吹出口
２０  支軸
２１  風向変更板
２２  モータ
２３、３２、３６、４０、４９、５５  第１の磁石
２４、３３、３７、４１、５０、５３  上カム装置
２５、３４、３８、４２、５１、５８  第２の磁石
２６、３５、３９、４３、５２、５６  下カム装置
２９  カム軸
３０  連結装置
４５  位置検知スイッチ
４６  突起
４８  固定装置
５９  ステッピングモータ
【図１】
2006017415.tif 000003
【図２】
2006017415.tif 000004
【図３】
2006017415.tif 000005
【図４】
2006017415.tif 000006
【図５】
2006017415.tif 000007
【図６】
2006017415.tif 000008
【図７】
2006017415.tif 000009
【図８】
2006017415.tif 000010
【図９】
2006017415.tif 000011
【図１０】
2006017415.tif 000012
【図１１】
2006017415.tif 000013
【図１２】
2006017415.tif 000014
【図１３】
2006017415.tif 000015
【図１４】
2006017415.tif 000016
【図１５】
2006017415.tif 000017
【図１６】
2006017415.tif 000018
【図１７】
2006017415.tif 000019
【図１８】
2006017415.tif 000020
【図１９】
2006017415.tif 000021
【図２０】
2006017415.tif 000022